(57)【要約】【課題】 トラス橋桁の押し出し架設工法および手延べ桁付トラス橋桁を提供すること【解決手段】    外側の斜材を備えたトラス橋桁の押し出し架設工法であって、トラス橋桁１に設ける手延べ部３を、外側の斜材８を備えていない共に、外側の斜材８が後に設けられるトラス橋桁１の中核構造を構成するトラス構造体７による手延べ桁としたことを特徴とするトラス橋桁の一部を手延べ桁として利用したトラス橋桁の押し出し架設工法。いる。【選択図】図１
2006348650.tif 000002
【特許請求の範囲】
【請求項１】
外側の斜材を備えたトラス橋桁の押し出し架設工法であって、トラス橋桁に設ける手延べ桁を、トラス橋桁の中核構造を構成するトラス構造体であって、前記外側の斜材を備えていないトラス構造体による手延べ桁とし、その手延べ桁を備えた手延べ桁付トラス橋桁を押し出し架設するようにしたことを特徴とするトラス橋桁の一部を手延べ桁として利用したトラス橋桁の押し出し架設工法。
【請求項２】
前記トラス構造体は、橋軸直角の正面視で、少なくとも一つの下弦材と、その下弦材に下部が連結され、上床版の位置で閉じる一対の内側の斜材と、前記上床版等の上弦材とによる三角形の骨組み構造体を備えていることを特徴とする請求項１に記載のトラス橋桁の一部を手延べ桁として利用したトラス橋桁の押し出し架設工法。
【請求項３】
トラス橋桁の押出しが完了した後に、手延べ桁部に、外側の斜材と、外側の上弦材を設けることを特徴とする請求項１または２に記載のトラス橋桁の一部を手延べ桁として利用したトラス橋桁の押し出し架設工法。
【請求項４】
上弦材または下弦材のいずれか一方または両方が床版とされていることを特徴とする請求項１から３のいずれかに記載のトラス橋桁の一部を手延べ桁として利用したトラス橋桁の押し出し架設工法。
【請求項５】
請求項１〜５のいずれかに記載のトラス橋桁の押し出し架設工法に用いる手延べ桁付トラス橋桁であって、トラス橋桁に設ける手延べ桁を、外側の斜材を備えていない共に、トラス橋桁の中核構造を構成するトラス構造体による手延べ桁としたことを特徴とするトラス橋桁の一部を手延べ桁とした手延べ桁付トラス橋桁。
【請求項６】
請求項１〜４のいずれかのトラス橋桁の押し出し架設工法によって施工されてなるトラス橋。
【発明の詳細な説明】
【技術分野】
【０００１】
本発明は、橋桁の押出し工法およびトラス橋桁に関し、特に、トラス橋桁の押し出し架設工法および手延べ桁付トラス橋桁ならびにトラス橋に関する。
【背景技術】
【０００２】
従来、橋桁の架設方法として、押し出し装置による押し出し工法があり、押し出し工法の中でも、１箇所のアバットまたは橋脚あるいは橋台に反力をとって押し出す、集中方式による押し出し工法と、複数の橋台または橋脚に押し出し装置を分散配置して、分散された押出装置を同時に駆動することにより各分散配置された押出装置を小型にした、分散方式による押し出し工法とが知られている。
【０００３】
いずれの押し出し工法の場合も、橋桁の先端に、橋桁とは別個の鋼製等の手延べ桁を取付て、長支間に対応している（例えば、特許文献１参照）。
【特許文献１】特開平０５−３３１８１０
【発明の開示】
【発明が解決しようとする課題】
【０００４】
前記従来の場合は、しかし、橋桁先端に取り付けられる、橋桁とは別個の手延べ桁の取付、および手延べ桁の撤去を考えると大きなコストアップに繋がると共に、押し出し架設工期も長期になるという問題があった。
本発明は、前記従来の課題を有利に解消することができる、トラス橋桁の押し出し架設工法および手延べ桁付トラス橋桁を提供することを目的とする。
【課題を解決するための手段】
【０００５】
前記の課題を有利に解決するために、第１発明のトラス橋桁の一部を手延べ桁として利用したトラス橋桁の押し出し架設工法では、外側の斜材を備えたトラス橋桁の押し出し架設工法であって、トラス橋桁に設ける手延べ桁を、トラス橋桁の中核構造を構成するトラス構造体であって、前記外側の斜材を備えていないトラス構造体による手延べ桁とし、その手延べ桁を備えた手延べ桁付トラス橋桁を押し出し架設するようにしたことを特徴とするトラス橋桁の一部を手延べ桁として利用したトラス橋桁の押し出し架設工法。
【０００６】
また、第２発明では、第１発明のトラス橋桁の一部を手延べ桁として利用したトラス橋桁の押し出し架設工法のにおいて、前記トラス構造体は、橋軸直角方向の正面視で、少なくとも一つの下弦材と、その下弦材に下部が連結され、上床版の位置で閉じる一対の内側の斜材と、前記上床版等の上弦材とによる三角形の骨組み構造体を備えていることを特徴とする。
【０００７】
また、第３発明では、第１発明または第２発明のトラス橋桁の一部を手延べ桁として利用したトラス橋桁の押し出し架設工法において、トラス橋桁の押出しが完了した後に、手延べ桁部に、外側の斜材と、外側の上弦材を設けることを特徴とする。
【０００８】
また、第４発明では、第１発明〜第３発明のいずれかのトラス橋桁の一部を手延べ桁として利用したトラス橋桁の押し出し架設工法において、上弦材または下弦材のいずれか一方または両方が床版とされていることを特徴とする。
【０００９】
また、第５発明のトラス橋桁の一部を手延べ桁として備えた手延べ桁付トラス橋桁では、第１発明〜第５発明のいずれかのトラス橋桁の押し出し架設工法に用いるトラス橋桁であって、トラス橋桁に設ける手延べ桁を、外側の斜材を備えていない共に、トラス橋桁の中核構造を構成する構造体による手延べ桁としたことを特徴とする。
また、請求項６のトラス橋においては、第１発明〜第４発明のいずれかのトラス橋桁の押し出し架設工法によって施工されてなることを特徴とする。
【発明の効果】
【００１０】
本発明によると、トラス橋桁の一部を手延べ桁として利用した手延べ桁付トラス橋桁とし、すなわち、予め橋桁を構成するトラス構造体の一部を手延べ桁として備えた手延べ桁付トラス橋桁とし、これを押し出し架設するようにしたので、従来のように、別個の手延べ桁を取り付けたり、あるいは手延べ桁を撤去する工程を省く事が出来ると共に、橋桁の架設の施工コストを格段に低減することができる。
また、本発明の手延べ桁付トラス橋桁は、橋桁のトラス構造体の一部を利用して手延べ桁としているので、容易に手延べ桁付トラス橋桁を構成することができ、また、手延べ桁は、従来のように別個の異質な部材ではないので、トラス橋桁本体部と手延べ桁部との接合を別個にする必要がない。また、手延べ桁付トラス橋桁を架設した後に、手延べ桁部に外側の斜材および上弦材を追加架設することで、手延べ桁部を本体部と同じ構造に容易に施工することができる。
前記のような利点のあるトラス橋桁の押し出し架設工法により施工されたトラス橋では、従来の場合のトラス橋よりも安価なトラス橋となり、施工も容易である。
【発明を実施するための最良の形態】
【００１１】
次に本発明を図示の実施形態に基づいて詳細に説明する。
【００１２】
図１は、本発明の手延べ桁付トラス橋桁１を使用して、分散方式により手延べ桁付トラス橋桁１を架設している状態を示す概略側面図、図２（ａ）（ｂ）（ｃ）および図３は、手延べ桁付トラス橋桁１の一実施形態を示す図、図４は図１に示す状態から手延べ桁付トラス橋桁１を押し出して前進移動して状態を示す概略側面図、図５は手延べ桁部に外側の斜材および上弦材等を架設して本体部と同様な構造にした平面図である。図６（ａ）（ｂ）（ｃ）および図７は、手延べ桁付トラス橋桁１の第２実施形態が示す図、図８は手延べ桁部に外側の斜材および上弦材等を架設して本体部と同様な構造にした平面図である。
【００１３】
先ず、図２および図３を参照して、一実施形態の手延べ桁付トラス橋桁１の構成について説明する。
【００１４】
図２および図３に示す形態の手延べ桁付トラス橋桁１は、後部側となるトラス橋桁本体部２と、その前部側に手延べ桁３を直列に備えている。
【００１５】
前記のトラス橋桁本体部２と手延べ桁３とによる手延べ桁付トラス橋桁１は、下弦材４と、上弦材５と、内側の斜材６と床桁１３による手延べ桁付トラス橋桁１の中核構造を構成するトラス構造体７を全長に渡って備えており、前部側は、前記トラス構造体７のみの構造とした手延べ桁３としている。
【００１６】
後部側となるトラス橋桁本体部２は、図示の形態では、中核構造を構成する前記のトラス構造体７と、そのトラス構造体７における下弦材４に下端部が連結されて一体化された多数の外側の斜材８と、その外側の斜材８の上端部に連結一体化された外側の上弦材５と、上弦材５相互間を連結して一体化する上部横連結材９とを備えている。
【００１７】
また、前部側の手延べ桁３は、前記のトラス構造体７のみが延長するように前部側に張出すように設けられた構造であり、具体的には、横方向に間隔をおいて平行に配置されている一対の各下弦材４と、前記下弦材４に下部が連結固定され、上弦材５に集合するように接合される、一対となって配置される多数の内側の斜材６と、各内側の斜材６の上端部に渡って設けられる上弦材５を備えている。トラス構造体７は、橋軸方向の正面視で、略正三角形で、前記下弦材４に下端部が連結される外側の斜材８と、前記外側の斜材８の上端部に連結する上弦材５と、床桁１３とによる柱状構造物とされえている。
【００１８】
前記上弦材５または下弦材４は、詳細な図示を省略するが、短尺のプレキャストプレストレストコンクリート製ユニット部材が、順次、内ケーブル等のＰＣ鋼材（図示を省略）により連結されて一体化されている。また、内側の斜材６または外側の斜材８と、上弦材５または下弦材４とは、内側の斜材６または外側の斜材８の部材端部連結部を、それぞれ、前記上弦材５および下弦材４に埋め込み固定されて、一体化されている。
【００１９】
前記の内側の斜材６および外側の斜材８としては、鋼製またはプレキャストプレストレストコンクリート製の斜材を使用することができる。
【００２０】
また、橋桁本体部２の上弦材５としては、棒状のプレキャスト部材のみによる構造、あるいはこれに上床版を設けた構造とすることができるが、施工場所等により適宜選択すればよい。
橋桁本体部２の下弦材４としては、棒状のプレキャスト部材のみによる構造、あるいはこれに下床版（図示を省略）を設けた構造とすることができる。
【００２１】
手延べ桁付トラス橋桁１の形態としては、図２および図３に示す形態ばかりでなく、図６（ａ）（ｂ）（ｃ）および図７に示すように、図２および図３に示す形態を並列して、ほぼ２組設けた形態でもよい。具体的には、中央部に位置する下弦材４を共有するように内側の斜材６が設けられ、並列するトラス構造体７の下弦材４相互間を、床桁１３を介して連結一体化すると共に、上弦材５間を上部横連結材９により連結して並列して複合化した手延べ桁付複合トラス橋桁１０としてもよい。
【００２２】
前記のような手延べ桁付複合トラス橋桁１０における手延べ桁３は、トラス構造体７相互の上部相互（正面３角形の手延べ桁３の上部相互）が上部横連結材９により連結され、下部は中央の下弦材４が左右のトラス構造体ユニット７ａが共有する下弦材され、下弦材４相互は床桁１３を介して連結一体化されて、並列されて複合一体化された複合トラス構造体７ｂの手延べ桁３とされている。
いずれの形態の場合の手延べ桁３も、鋼製またはプレキャスト製の弦材またはトラス斜材を用いて軽量化しておく。なお、前記の上部横連結材９は、上弦材５と内側の斜材６の格点部に連結されて一体化される。
【００２３】
なお、橋桁本体部２における上部横連結材９としては、鋼製またはプレキャスト製のトラス部材を使用することができる。なお、上部横連結材９および各上弦材５に渡って設ける上床版を含む上弦材としてもよい。
【００２４】
前記のように、手延べ桁付トラス橋桁１では、手延べ桁３の部分は、単体のトラス構造体７または並列して複合一体化されたトラス構造体７ｂであるので、軽量化を図ることができ、手延べ桁３の張出し長さを長くすることができる。トラス構造体７を３列以上並列した複合トラス構造体７ｂとすることもできる。
【００２５】
次に、図１および図４を参照して、前記のようなトラス構造体７または複合トラス構造７ｂの手延べ桁３を備えた手延べ桁付トラス橋桁１を架設する一形態について、各橋台または橋脚に押し出し装置を設ける分散方式について説明するが、本発明の手延べ桁付トラス橋桁１を架設する方法としては、分散方式以外にも、集中方式等の架設工法を適用することができる。
【００２６】
手延べ桁付トラス橋桁１（以下、単に橋桁とも言う）は、橋台１４の後方（図１において左側）に設置した主桁製作台上で、いずれも短尺の部材からなる、各下弦材４、床桁１３、内側の斜材６および上弦材５を順次連結しながら製作されて手延べ桁３が構築され、次いでこれに一体に接続するように、各下弦材４、床桁１３、内側の斜材６および外側の斜材８並びに上弦材５を順次連結しながらトラス橋桁本体部２が製作され、所定の長さ、例えば６ｍ〜２０ｍ製作される毎に、押出し装置１５により前方に押出される。隣り合う斜材端部相互の連結にはこれらの橋軸方向の横孔にPC鋼材を挿通すると共に定着金具による連結固定手段を適宜採用でき、また斜材と上弦材または下弦材との連結には、これらの接合端部に上下方向の縦孔を設けると共に縦PC鋼材を配置して定着金具により連結固定して一体化することができる。また、短尺の下弦材ユニット相互または短尺の上弦材ユニットを順次継ぎ足して下弦材４または上弦材５とする場合には、内ケーブル等のPC鋼材によりプレストレスを導入して緊張定着して連結してゆけばよい。前記の下弦材４側全体または上弦材５側全体を、例えばコンクリート床版に置き換えることもできるが、手延べ桁３の部分は軽量化する上で、軸状の下弦材４または上弦材５としておくのが好ましい。
【００２７】
押出し装置１５は、各橋台１４および橋脚１６に設けられ、図１に示すように、橋台１４および橋脚１６の上部にそれぞれ滑り支承装置１７が設置されている。滑り支承装置１７の上面には、ステンレス板などの摩擦係数の小さい材料で滑り面１８が形成されている。滑り面１８の上面には、テフロン（登録商標）（四フッ化エチレン）板などの摩擦係数の小さい材料でスライドプレート１９がスライド自在に載置され、このスライドプレート１９の上に手延べ桁付トラス橋桁１の手延べ桁３の下弦材４あるいは橋桁本体部２の下弦材４が支持されている。
【００２８】
スライドプレート１９は少なくとも２枚具備され、橋桁１の前進移動に伴って滑り面１８を橋桁１と一体に移動し、１枚目のスライドプレート１９が滑り面１８上を半分程度前進したとき、その後部に２枚目のスライドプレート１９を差し込みながら橋桁１を前進移動させるように設けられる。前記の各スライドプレート１９は、橋台１４および橋脚１６上において、交互に差し込まれて循環使用される。
【００２９】
橋台１４および橋脚１６には、橋桁１の前進移動時の反力を受ける反力台２０が設けられる。橋台１４および橋脚１６の側方に配置するＰＣ鋼棒２１を、それぞれの前側面と後側面の各反力台２０に挿通し、ＰＣ鋼棒２１の先端のネジ部に定着ナット２２を締結することで各反力台２０を橋台１４および橋脚１６のそれぞれの前側面と後側面に固定する。なお、橋台１４または橋脚１６の周囲をＨ形鋼などで取囲むようにして反力台を設けてもよい。
【００３０】
また、橋台１４および橋脚１６におけるそれぞれの前側面の反力台２０の上部にセンターホールジャッキ２３などの汎用ジャッキが設けられている。センターホールジャッキ２３は、図９（ａ）に示すように、平面的にみて、１つの橋台１４および橋脚１６の両側に２台平行に設置されている。橋台１４または橋脚１６にそれぞれ設けられたセンターホールジャッキ２３は、図示しない制御部により連動されていて、同期して伸縮作動するように設けられている。センターホールジャッキ２３のピストン杆には、橋桁１を前方に牽引するための総ねじ異径鋼棒等のＰＣ鋼材２５の先端部がナット等の定着装置２２ａより固着されている。
【００３１】
橋桁１の前進方向からみて反力台２０の後方で、かつ、橋桁１の桁下部の下弦材等には、ＰＣ鋼材２５と橋桁１を繋ぐための鋼製等のブラケット２６が設けられている。ブラケット２６の下弦材４等への着脱可能な固着手段として、該ブラケット２６に挿通された縦向きのＰＣ鋼棒２４を橋桁１の下弦材４等に設けた貫通孔に通し、ＰＣ鋼棒２４の両端部のネジ部にナット２７を締結する。これによりブラケット２６が、下弦材４等に着脱自在に固定される。下弦材４に設けられる前記の貫通孔は、橋桁１の前後方向に所定の間隔をおいて複数設けられており、橋桁１を前進移動する際に、ブラケット２６は、橋桁１の前後方向に盛り変えにより位置を変えて取り付けられる。
【００３２】
ブラケット２６には、橋軸方向に貫通する横孔２８が設けられていて、この横孔２８にＰＣ鋼材２５を通し、定着装置２２にて着脱自在に係合される。このブラケット２６のＰＣ鋼材２５に対する取り付け位置は、橋桁１の前進移動時に、前後方向に盛り変えにより位置を変えて取り付けられる。
【００３３】
前記の押出し装置１５を使用して、橋桁１の押出しを行うには、図１および図４に示す工程で行われる。なお、橋台１４および橋脚１６のそれぞれのセンターホールジャッキ２３は連動しており、同期して伸縮動作するので、以下では各ジャッキの動作が共通であるとして説明する。
【００３４】
図１は、第１の押出し工程を示し、橋台１４と第１の橋脚１６（図の左側）の間に、橋桁１における橋桁本体部２が架設された態様を示す。この第１工程では、各センターホールジャッキ２３が短縮している。また、ＰＣ鋼材２５も後退していて、この後退位置でブラケット２６を介してＰＣ鋼材２５と橋桁１とが繋がっている。
【００３５】
次に、各センターホールジャッキ２３を伸長させる。これによりＰＣ鋼材２５が前進し、ブラケット２６を介して橋桁１はＰＣ鋼材２５に牽引されて前方に移動する。このとき、図１０に示すように、滑り支承装置１７の滑り面１８と下弦材４等との間にスライドプレート１９を介在しておくことで、スライドプレート１９が橋桁１と一体に滑り面１８上を安定に移動し、これにより該橋桁１は安定して前進移動できる。また、１枚目のスライドプレート１９が滑り面１８を半分程度前進したとき、その後部に２枚目のスライドプレート１９を差し込み、それを繰り返しながら橋桁１を前進移動させる。それにより、限られた広さの滑り面１８上で橋桁１を連続的に円滑に前進移動させることができる。
【００３６】
ブラケット２６を、適宜橋桁１およびＰＣ鋼材２５から一旦取り外したうえ、このブラケット２６を橋桁１の後部に盛り替えて取り付け、かつ、後退移動しているＰＣ鋼材２５の後端部に取り付け位置を変える。
【００３７】
なお、橋台１４の後方（各図の左側）に設置した主桁製作台（図示を省略）上では、本体部２に接続するように短尺のプレキャスト製上弦材ユニットあるいは下弦材ユニット、斜材上部横連結材等が順次組立てられ、必要に応じコンクリート床版を打ち継ぎながら後続する橋桁が製作されている。これにより伸長した橋桁１は、センターホールジャッキ２３を伸長することで第２の橋脚１６（図の右側）に向けて押出される。なお、第２の橋脚１６には、予め反力台２０およびこれに付属するセンターホールジャッキ２３、ＰＣ鋼材２５、ならびに適宜ブラケット２６等を付属させておく。
【００３８】
図４では、橋桁１が第２の橋脚４まで伸びて押し出し架設された態様が示されている。その後、ブラケット２６を後方の位置に盛り変えて橋桁１に取り付ける。その後は、前記の工程を繰り返すことで、所定の径間に構築された複数の橋脚１６に渡り橋桁１を架設できる。
【００３９】
以上のように、前記実施形態では、分散架設方式において、各橋台１４と橋脚１６に設ける押出し装置１５を１台のセンターホールジャッキ２３で構成すると共に、橋台１４と橋脚１６上に設けた滑り支承装置１７により橋桁１をスライド自在に支持しているので、該橋桁１の押出しが円滑である。さらに、センターホールジャッキ２３に固定したＰＣ鋼材２５と、橋桁１に盛り変え自在に設けたブラケット２６とを連結することで、センターホールジャッキ２３の伸長動作にて、ＰＣ鋼材２５の牽引作用により橋桁１を円滑に前方に押出すことができ、そのための構成が簡潔である。
【００４０】
手延べ桁付トラス橋桁１の押出しが完了した後に、図５または図８に示すように手延べ桁３の部分に、外側の斜材８および外側の上弦材５を架設して、手延べ桁３の部分も本体部２と同様な構造のトラス橋桁１とする。
【００４１】
その後、図示を省略するが、下床版（図示を省略）または上床版（図示を省略）を施工して、橋体本体を築造する。
【００４２】
本発明を実施する場合、手延べ桁付トラス橋桁１の本体部２については、下弦材４および上弦材５の弦材については、平面的に床版と一体化された弦材に置き換えるようにしてもよい。手延べ桁３の部分については、床版とした弦材とすると、重くなるため、手延べ桁３の軽量化による手延べ桁長を長くすることができるメリットが低減されるため、床版構造の弦材とするのは、好ましくない。
【００４３】
本発明を実施する場合、トラス橋桁の中核構造を構成するトラス構造体による手延べ桁とする場合、並列して３つ以上のトラス構造体７を一体化した複合トラス構造体による手延べ桁３としてもよい。いずれの場合のトラス構造体でも、橋軸直角の正面視で、少なくとも一つの下弦材と、その下弦材に下部が連結され、上床版の位置で閉じる一対の内側の斜材と、少なくとも一つの上弦材とによる三角形の骨組み構造体を備えている手延べ桁付トラス橋桁１とされ、これを押し出し架設される。
【００４４】
前記のように、手延べ桁付トラス橋桁を架設した後に、手延べ桁部に外側の斜材８および上床版を追加架設するので、本体部と同じ部材端部に連結部を有する短尺ユニット部材を使用して、上弦材および斜材あるいは床版を手延べ桁に追加するように設けて、手延べ桁を本体部と同じ構造に容易に施工することができる。
【図面の簡単な説明】
【００４５】
【図１】本発明の手延べ桁付トラス橋桁を使用して、分散方式により手延べ桁付トラス橋桁を架設している状態を示す概略側面図である。
【図２】本発明の手延べ桁付トラス橋桁の一形態を示すものであって、（ａ）は側面図、（ｂ）は本体部の形態を示す背面図、（ｃ）は手延べ桁部の正面図である。
【図３】図２（ａ）の平面図である。
【図４】図４は図１に示す状態から手延べ桁付トラス橋桁１を押し出して前進移動して状態を示す概略側面図である。
【図５】図２に示す手延べ桁付トラス橋桁を押し出した後、手延べ桁部に、外側の斜材および上弦材等を設けて、本体部の構造と同様な構造とした状態を示す平面図である。
【図６】本発明の手延べ桁付トラス橋桁の他の形態を示すものであって、（ａ）は側面図、（ｂ）は本体部の形態を示す背面図、（ｃ）は手延べ桁部の正面図である。
【図７】図６（ａ）の平面図である。
【図８】図７に示す手延べ桁付トラス橋桁を押し出した後、手延べ桁部に、外側の斜材および上弦材等を設けて、本体部の構造と同様な構造とした状態を示す平面図である。
【図９】（ａ）は押出し装置付近の平面概略図、（ｂ）は桁下部とブラケット付近を拡大して示す縦断側面図である。
【図１０】橋桁と滑り支承装置の間に挿入するスライドプレートの挿入状態を示す詳細図である。
【符号の説明】
【００４６】
１  手延べ桁付トラス橋桁
２  トラス橋桁本体部
３  手延べ桁
４  下弦材
５  上弦材
６  内側の斜材
７  トラス構造体
７ａ  トラス構造体ユニット
７ｂ  複合トラス構造体
８  外側の斜材
９  上部横連結材
１０  手延べ桁付複合トラス橋桁
１２  横トラス部材
１３  床桁
１４  橋台
１５  押し出し装置
１６  橋脚
１７  滑り支承装置
１８  滑り面
１９  スライドプレート
２０  反力台
２１  PC鋼棒
２２  定着ナット
２３  センターホールジャッキ
２４  PC鋼棒
２５  PC鋼材
２６  ブラケット
２７  ナット
２８  横孔
【図１】
2006348650.tif 000003
【図２】
2006348650.tif 000004
【図３】
2006348650.tif 000005
【図４】
2006348650.tif 000006
【図５】
2006348650.tif 000007
【図６】
2006348650.tif 000008
【図７】
2006348650.tif 000009
【図８】
2006348650.tif 000010
【図９】
2006348650.tif 000011
【図１０】
2006348650.tif 000012